(57)【要約】【課題】写真等の画像をプリントするにあたり、日付等の付加情報の貼り付け位置および角度を容易に設定できるようにすること。【解決手段】本発明は、操作パネル１５のディスプレイ上に表示される画像のディスプレイ面に沿った表示角度を設定する第１の角度設定手段２０１と、画像の表示領域における隅部に対応して所定の情報を付加する情報付加手段２０３と、情報付加手段２０３によって付加される所定の情報のディスプレイ面に沿った表示角度を設定する第２の角度設定手段２０２とを備える画像処理装置である。【選択図】図３
2005328414.tif 000002
【特許請求の範囲】
【請求項１】
画面上に表示される画像の画面に沿った表示角度を設定する第１の角度設定手段と、
前記画像の表示領域における隅部に対応して所定の情報を付加する情報付加手段と、
前記情報付加手段によって付加される所定の情報の前記画面に沿った表示角度を設定する第２の角度設定手段と
を備えることを特徴とする画像処理装置。
【請求項２】
前記第１の角度設定手段は、９０度毎に前記画像の表示角度を設定する
ことを特徴とする請求項１記載の画像処理装置。
【請求項３】
前記第２の角度設定手段は、９０度毎に前記所定の情報の表示角度を設定する
ことを特徴とする請求項１記載の画像処理装置。
【請求項４】
前記情報付加手段によって前記所定の情報が付加されている場合、前記第１の角度設定手段による前記画像の表示角度の変化に合わせて前記所定の情報の表示位置を変更する表示位置変更手段を備えている
ことを特徴とする請求項１記載の画像処理装置。
【請求項５】
前記表示位置変更手段によって前記所定の情報の表示位置が変更された場合、前記第２の角度設定手段は、前記画像の表示角度の変化に合わせて前記所定の情報の表示角度を変更する
ことを特徴とする請求項４記載の画像処理装置。
【発明の詳細な説明】
【技術分野】
【０００１】
本発明は、画像の画面表示角度を変えられるとともに、画像に所定の情報を付加した状態でも所望の表示角度を得ることができる画像処理装置に関する。
【背景技術】
【０００２】
従来から、写真に日付等の文字情報を付加してプリントする際の文字位置指定方法として、コンピュータ画面上で写真画像と文字情報との合成を確認しながら文字位置を指定する方法を採用した多くのソフトウェアが存在する。例えば、特許文献１においては、文字情報をプリントする画像上の位置を任意に指定できる技術が開示されている。この技術では、画像読取装置で読み取った画像データおよび文字データを記憶しておき、画面に表示される画像データの所望の位置をマウス等のポインティングデバイスで指定することで、その指定した位置に予め記憶した文字データを貼り付けるものである。
【０００３】
【特許文献１】特開平９−３２２１０２号公報
【発明の開示】
【発明が解決しようとする課題】
【０００４】
しかしながら、このような従来の技術においては、文字データの貼り付け位置や文字色、フォント等の選択の自由度は高いものの、ユーザ自身が貼り付け位置を任意に指定する必要があることから、例えば店頭に設置されているプリント装置のように操作に不慣れなユーザにとっては位置指定操作が煩わしいものとなる。さらに、写真に文字列を合成する場合は、位置指定以外にも写真の縦位置／横位置や構図によって文字データを回転したいこともあるが、従来の技術では画像の表示角度による貼り付け文字の位置や角度といった設定は全く考慮されておらず、ユーザの納得を十分に得られるものではない。
【課題を解決するための手段】
【０００５】
本発明はこのような課題を解決するために成されたものである。すなわち、本発明は、画面上に表示される画像の画面に沿った表示角度を設定する第１の角度設定手段と、画像の表示領域における隅部に対応して所定の情報を付加する情報付加手段と、情報付加手段によって付加される所定の情報の画面に沿った表示角度を設定する第２の角度設定手段とを備える画像処理装置である。
【０００６】
このような本発明では、画面上に表示される画像の画面に沿った表示角度を第１の角度設定手段で設定し、情報付加手段によってその画像の表示領域における隅部に対応して所定の情報を付加することができる。このため、所定の情報を付加する位置が画像の表示領域における隅部に限定できるようになる。また、付加した情報の画面に沿った表示角度を第２の角度設定手段で設定できるため、所定の情報の表示角度を画像の表示角度や構図によって好みに設定できるようになる。
【発明の効果】
【０００７】
したがって、本発明によれば、写真等の画像が縦位置／横位置どちらであっても、簡単な操作で日付等の情報を付加する位置や向きを指定することが可能となる。これにより、通常の右下だけでなく、四隅あるいはその近傍のどの位置にも写真の縦横を考慮した好みの向きに日付等の情報を簡単に貼り付けることが可能となる。
【発明を実施するための最良の形態】
【０００８】
以下、本発明の実施の形態を図に基づき説明する。図１は、本実施形態に係る画像処理装置を説明するブロック図である。すなわち、この画像処理装置１は、所定のメディアを取り扱うことができるメディアドライブＤと、このメディアドライブＤに対してアクセスを行うファイルシステム１１と、ファイルシステム１１に対して指示を与え、メディアドライブＤに装着されたメディアに記憶されたファイルを処理するアプリケーション２０と、メディアに記憶された画像を処理する画像処理部１２と、アプリケーション２０によって処理されたファイルを印刷出力するプリンタ１４とを備えている。
【０００９】
特に、本実施形態のアプリケーション２０は、メディアドライブＤに装着されたメディアに記憶されているファイル（画像）の印刷にあたり、日付等の所定の情報を付加する機能を備えており、しかもこの情報を付加するにあたり、印刷対象となる画像の回転および情報の付加位置、角度を簡単に設定できる機能を備えている。
【００１０】
上記構成のほか、本実施形態の画像処理装置１では、プリンタ１４を制御するプリンタ制御部１３、ユーザとのインタフェースとなる操作パネル１５、各部の制御を統括するシステム制御部１０を備えている。ここで、操作パネル１５は、各種の情報やファイルのサムネイル等を画面表示するディスプレイと、ユーザからの入力操作を受け付けるキーボタンやタッチパネルを有している。
【００１１】
図２は、本実施形態に係る画像処理装置を写真プリント装置に適用した例を示す外観模式図である。この写真プリント装置１００では、筐体１０１に操作パネル１５、メディア挿入部１６、プリント排出部１７を備えており、筐体１０１の内部に図１で示した各部が収納されている。ユーザは、プリントを行いたいファイルが格納されているメディアをメディア挿入部１６から挿入し、操作パネル１５の表示に沿って所望の設定および指示を行うことで、そのファイルの印刷出力をプリント排出部１７から取り出すことができるようになる。
【００１２】
本実施形態に係る画像処理装置では、このような写真プリント装置１００で起動するアプリケーション２０として、ユーザがプリントした画像に対して日付等の情報を付加する際の使い勝手を向上できる各種機能を備えている。図３は、本実施形態の画像処理装置における機能ブロック図である。これらの機能ブロックは主としてアプリケーション２０内に組み込まれるプログラム処理として実現される。すなわち、機能ブロックは、第１の角度設定手段２０１、第２の角度設定手段２０２、情報付加手段２０３、表示位置変更手段２０４から構成される。
【００１３】
第１の角度設定手段２０１は、操作パネル１５のディスプレイに表示されるプリント対象の画像（写真）の画面に沿った表示角度を設定する処理を行う。また、情報付加手段２０３は、画像の表示領域における隅部に対応して日付等の所定の情報を付加する処理を行う。第２の角度設定手段２０２は、情報付加手段２０３によって付加される所定の情報の画面に沿った表示角度を設定する処理を行う。また、表示位置変更手段２０４は、付加された情報の表示位置を画像の表示角度の変化に合わせて変更する処理を行う。
【００１４】
各機能ブロックは、操作パネル１５で受け付けたユーザの指示に基づきシステム制御部１０からアプリケーション２０に与えられる命令によって動作し、その命令による画像処理を画像処理部１２へ依頼するようになっている。各機能ブロックは、操作パネル１５のディスプレイに表示されるアイコンボタン等をユーザインタフェースとして備えており、このユーザインタフェースを介してユーザの指示を受け取ることになる。
【００１５】
ここで、第１の角度設定手段２０１は、画面上に表示される画像の画面に沿った表示角度を設定する処理を行うもので、ユーザからの指示に基づき例えば画像を左右９０度ずつ回転する指示を画像処理部１２へ与える。また、情報付加手段２０３は、画像の表示領域における隅部、すなわち画面表示される画像（写真）の四隅あるいはその近傍に対応して日付等の情報を付加する処理を行う。
【００１６】
付加する情報としては、主として日付であるが、所定の文字列、数字、ファイル名、バーコード等、他のものであってもよい。日付を付加する場合、日付の情報はファイルのヘッダに書き込まれた撮影日時を用いても、またプリントを行った日付でも、予め設定した日付を用いてもよい。
【００１７】
第２の角度設定手段２０２は、情報付加手段２０３によって付加される情報の画面に沿った表示角度を設定する処理を行うもので、ユーザからの指示に基づき例えば情報を９０度ずつ回転する指示を画像処理部１２へ与える。また、表示位置変更手段２０４は、所定の情報が画像に付加されている場合、第１の角度設定手段２０１によって画像の表示角度を変化させることに合わせて付加した情報の表示位置を変更する処理を行う。例えば、ディスプレイに表示される写真の右下隅部に日付が付加されている状態で、その写真の画像を左に９０度回転させた場合、日付の表示位置も画像の回転に合わせて変更し、写真の右上隅部になるよう設定する処理を行う。つまり、写真の構図に対して常に同じ位置となるよう付加情報の位置を変更することになる。
【００１８】
次に、各機能ブロックによる処理を画面表示に沿って説明する。図４は、操作パネル１５のディスプレイにユーザの指定した写真が表示されている状態を示す模式図である。この写真は横長になっているため表示領域Ｓもそれに合わせて横長になっている。表示領域Ｓの外側には付加設定ボタンＢ１〜Ｂ４および回転指示ボタンＢ１０、Ｂ２０がアイコン表示されている。付加設定ボタンＢ１〜Ｂ４は表示領域Ｓの四隅に対応して配置されている。
【００１９】
図５は、付加設定ボタンＢ１〜Ｂ４のうち、右上の付加設定ボタンＢ２が押された状態を示している。ここでは付加する情報として写真を撮影した日付が対象となっている。付加設定ボタンＢ２が押されると、これが選択されたことを示すために他のボタンと表示色等が変化するようになっている。ユーザによる付加設定ボタンＢ２の選択指示は情報付加手段２０３に送られ、情報付加手段２０３が画像ファイルからその写真の撮影日付の情報を読み取って画像処理部１２へ渡す。画像処理部１２はその撮影日付を文字データＪとして生成し、選択された付加設定ボタンＢ２に対応する表示領域Ｓの右上に貼り付けて表示する。図５に示す例では、貼り付けられる文字データＪの文字としての下側が画像（写真）の縁に沿うよう配置される。
【００２０】
図６は、文字データＪが貼り付けられた状態で写真を回転させた状態を示している。ユーザは、回転指示ボタンＢ２０を１回押すことで写真を右に９０度回転させることができる。ユーザによる回転指示ボタンＢ２０の選択指示は第１の角度設定手段２０１に送られ、画像処理部１２に指示を与えて写真の画像を右に９０度回転させる処理を行う。また、回転指示ボタンＢ２０の選択指示は表示位置変更手段２０４にも送られ、付加した文字データＪの表示位置を表示領域Ｓの右下になるよう画像処理部１２に指示を与える。さらに、回転指示ボタンＢ２０の選択指示は第２の角度設定手段２０２にも送られ、画像処理部１２に指示を与えて付加した文字データＪの表示角度を右に９０度回転させる処理を行う。これにより、写真の画像表示が右に９０度回転するとともに、付加した文字データＪの位置および表示角度が写真の回転に合わせて図６のように変更される。
【００２１】
図７は、図６に示す表示の状態からさらに回転指示ボタンＢ２を１回押した場合の表示を示している。回転指示ボタンＢ２が１回押されるたびに上記と同様な処理を行われ、写真の回転とともに文字データＪの位置および表示角度が変更されることになる。なお、回転指示ボタンＢ１０を押すと反対に左９０度の回転が行われ、押すたびに順次左に９０度回転していくことになる。
【００２２】
次に、文字データＪ自体の回転について説明する。例えば、図８に示すように、横長の写真の表示が成されている状態で付加設定ボタンＢ２を押すと、図５と同様に文字データＪが表示領域Ｓの右上に表示される。この状態で付加設定ボタンＢ２を再度押すと、図９に示すように文字データＪだけが表示領域Ｓの右上の位置で右に９０度回転する状態となる。すなわち、文字データＪが付加されている状態で、その付加された位置に対応する付加設定ボタンＢ２が再度押されると、この指示が第２の角度設定手段２０２に送られ、画像処理部１２に指示を与えて付加した文字データＪの表示角度を右に９０度回転させる処理を行う。この際、文字データＪが表示領域Ｓの縁に沿うようなレイアウトを行う。
【００２３】
また、この状態で、文字データＪが付加された位置に対応する付加設定ボタンＢ２を再度押すと、図１０に示すように文字データＪだけが表示領域Ｓの右上の位置で右に９０度回転する状態となる。さらにこの状態で付加設定ボタンＢ２を押すと、図１１に示すように文字データＪだけが表示領域Ｓの右上の位置で右に９０度回転する状態となる。つまり、付加設定ボタンＢ２を押すことでこの指示が第２の角度設定手段２０２に送られ、画像処理部１２に指示を与えて付加した文字データＪの表示角度を押された回数に応じて順に右へ９０度回転させる処理を行う。したがって、ユーザは、文字データＪの表示角度を付加設定ボタンの押下回数によって好みに選択できるようになる。
【００２４】
なお、上記の例では付加設定ボタンが押下されるたびに右に９０度ずつ回転させたが、左に９０度ずつ回転させてもよい。また、付加設定ボタンの押下で文字データＪを表示させてから、その後の付加設定ボタンの押下で文字データＪのみを９０度ずつ回転させ、１周回った段階で文字データＪを消すようなキャンセル動作を設けてもよい。ここで、キャンセルされた後、再度その付加設定ボタンを押すことで文字データＪを表示できるようにすればよい。
【００２５】
次に、写真の表示のみを回転させる例を説明する。例えば、図１２に示すように、横長の写真の表示が成されている状態で付加設定ボタンＢ２を押すと、文字データＪが表示領域Ｓの右上に表示される。この状態で回転指示ボタンＢ２０を押すと、図１３に示すように写真の画像が右に９０度回転する。この際、文字データＪは画面における表示領域Ｓの右上のままになっている。つまり、回転指示ボタンＢ２０の指示が第１の角度設定手段２０１に送られ、画像処理部１２に指示を与えて写真の表示角度を右に９０度回転させる処理を行う。また、回転指示ボタンＢ２０の指示が表示位置変更手段２０４にも送られ、付加した文字データＪの表示位置を、写真の表示領域Ｓが縦長になったことに合わせて変更するよう画像処理部１２に指示を与える。この場合、表示領域Ｓが横長から縦長になっても文字データＪが表示領域Ｓの右上に配置されるよう位置を変更する。また、回転指示ボタンＢ２０の指示は第２の角度設定手段２０２には送られず、文字データＪ自体の表示角度はそのままとなる。
【００２６】
これにより、文字データＪの付加した位置を変えることなく、写真の画像のみを回転できるようになる。なお、図１３に示す状態で、文字データＪの付加された位置に対応する付加設定ボタンＢ２を押すことで、文字データＪ自体の表示角度を変更することもできる。
【００２７】
なお、上記の例では、文字データＪの回転角度として９０度単位を例にしたが、例えば３０度や４５度など、他の角度単位であってもよい。また、表示領域の四隅のうちに２つ以上の情報を表示できるようにしてもよい。この場合、最初に付加設定ボタンが押されることで例えば日付を表示し、次に空いている他の隅部に対応した付加設定ボタンが押された場合には例えば撮影時間を表示し、さらに次に空いている他の隅部に対応した付加設定ボタンが押された場合には例えばファイル名というように、予め付加する情報の順番を設定しておけば、簡単に必要な情報を付加できるようになる。また、何の情報を付加するかをユーザによって任意に選択できるようなボタンを用意しておけば、さらに好みの情報を簡単に付加できるようにもなる。
【産業上の利用可能性】
【００２８】
上記実施形態では、主として写真プリント装置での機能として本発明の画像処理装置が組み込まれている例を示したが、本発明の画像処理装置はプログラムによって実現できることから、パーソナルコンピュータで実行される各種アプリケーションソフトウェアの印刷設定機能やプリンタドライバ等に組み込んで実現することも可能である。
【図面の簡単な説明】
【００２９】
【図１】本実施形態に係る画像処理装置を説明するブロック図である。
【図２】本実施形態に係る画像処理装置を写真プリント装置に適用した例を示す外観模式図である。
【図３】本実施形態の画像処理装置における機能ブロック図である。
【図４】ディスプレイにユーザの指定した写真が表示されている状態を示す模式図である。
【図５】右上の付加設定ボタンＢ２が押された状態を示す模式図である。
【図６】文字データが貼り付けられた状態で写真を回転させた状態を示す模式図である。
【図７】図６に示す表示の状態からさらに回転指示ボタンＢ２を１回押した場合の表示を示す模式図である。
【図８】右上の付加設定ボタンＢ２が押された状態を示す模式図である。
【図９】文字データだけが回転した状態を示す模式図である。
【図１０】さらに文字データだけが回転した状態を示す模式図である。
【図１１】さらに文字データだけが回転した状態を示す模式図である。
【図１２】横長の写真の表示が成されている状態を示す模式図である。
【図１３】写真の画像のみが回転した状態を示す模式図である。
【符号の説明】
【００３０】
１…画像処理装置、１０…システム制御部、１１…ファイルシステム、１２…画像処理部、１３…プリンタ制御部、１４…プリンタ、１５…操作パネル、１６…メディア挿入部、１７…プリント排出部、２０…アプリケーション、１００…写真プリント装置、２０１…第１の角度設定手段、２０２…第２の角度設定手段、２０３…情報付加手段、２０４…表示位置変更手段、Ｄ…メディアドライブ
【図１】
2005328414.tif 000003
【図２】
2005328414.tif 000004
【図３】
2005328414.tif 000005
【図４】
2005328414.tif 000006
【図５】
2005328414.tif 000007
【図６】
2005328414.tif 000008
【図７】
2005328414.tif 000009
【図８】
2005328414.tif 000010
【図９】
2005328414.tif 000011
【図１０】
2005328414.tif 000012
【図１１】
2005328414.tif 000013
【図１２】
2005328414.tif 000014
【図１３】
2005328414.tif 000015